(57)【要約】      （修正有）【課題】運搬時に前後左右方向にバランスを取り易く、且つ、運搬時に給湯機を通過させるのに必要となる幅を小さく抑えることのできる給湯機を提供する。【解決手段】直方体形状の筐体を有し、鉛直方向に沿う４つの鉛直面１、２ａ、２ｂ、３のうちの一鉛直面３には把持部４ａが設けられ、前記一鉛直面３と辺を共有する二つの鉛直面２ａ、２ｂには、前記一鉛直面３よりもこの一鉛直面３と対向する鉛直面１に近い位置にそれぞれ把持部４ｂ、４ｃが設けられたことを特徴とする。また、前記一鉛直面３は、設置状態において正面となる鉛直面１と対向して背面となる鉛直面であり、前記把持部４ｂ、４ｃは、前記背面となる鉛直面３と、前記正面となる鉛直面１及び背面となる鉛直面３と交差する方向を向き、側面となる二つの鉛直面２ａ、２ｂとに形成されることが好ましい。【選択図】図２
2012021694.tif 000002
【特許請求の範囲】
【請求項１】
直方体形状の筐体を有し、
鉛直方向に沿う４つの鉛直面のうちの一鉛直面には把持部が設けられ、
前記一鉛直面と辺を共有する二つの鉛直面には、前記一鉛直面よりもこの一鉛直面と対向する鉛直面に近い位置にそれぞれ把持部が設けられたことを特徴とする給湯機。
【請求項２】
前記一鉛直面は、設置状態において正面となる鉛直面と対向して背面となる鉛直面であり、
前記把持部は、前記背面となる鉛直面と、前記正面となる鉛直面及び背面となる鉛直面と交差する方向を向き、側面となる二つの鉛直面とに形成されることを特徴とする請求項１に記載の給湯機。
【発明の詳細な説明】
【技術分野】
【０００１】
本発明は、給湯機に関するものである。
【背景技術】
【０００２】
従来、運搬性を向上させるため、直方体形状の筐体のうち、鉛直方向に沿う鉛直面に把持部を設けた給湯機が存在する。
【０００３】
具体的には、特許文献１には、一つの鉛直面と、それに対向する鉛直面とにそれぞれ把持部が設けられた給湯機が開示されている。
【０００４】
また、同特許文献１には、４つの鉛直面のぞれぞれに把持部を備え、各把持部を、第一の鉛直面とこれと隣り合う第二の鉛直面とで共有する辺をはさんで略左右対称となる位置と、残る第三の鉛直面及び第四の鉛直面とで共有する辺をはさんで略左右対称となる位置に配置する給湯機も提案されている。
【先行技術文献】
【特許文献】
【０００５】
【特許文献１】特開２００９−２５０４４５号公報
【発明の概要】
【発明が解決しようとする課題】
【０００６】
しかしながら、前者の給湯機は、各把持部が対向する位置に配置されるため、各把持部の対向方向に対するバランスは良いものの、この対向方向と直交する方向に対するバランスが良くないという問題がある。
【０００７】
また、後者の給湯機は、筐体の水平方向の中心に対して点対称な位置に把持部が設けられるため、運搬の際には筐体の対角線方向を進行方向として運搬することとなり、運搬時に給湯機を通過させるのに要する幅が必要以上に大きくならざるを得ない。
【０００８】
そこで、本発明は、運搬時に前後左右方向にバランスを取り易く、且つ、運搬時に給湯機を通過させるのに必要となる幅を小さく抑えることのできる給湯機を提供することを目的とする。
【課題を解決するための手段】
【０００９】
本発明は、直方体形状の筐体を有し、鉛直方向に沿う４つの鉛直面のうちの一鉛直面には把持部が設けられ、前記一鉛直面と辺を共有する二つの鉛直面には、前記一鉛直面よりもこの一鉛直面と対向する鉛直面に近い位置にそれぞれ把持部が設けられたことを特徴とする。
【００１０】
また、前記一鉛直面は、設置状態において正面となる鉛直面と対向して背面となる鉛直面であり、前記把持部は、前記背面となる鉛直面と、前記正面となる鉛直面及び背面となる鉛直面と交差する方向を向き、側面となる二つの鉛直面とに形成されることが好ましい。
【発明の効果】
【００１１】
本発明によれば、給湯機の運搬時に前後左右方向にバランスを取り易く、且つ、運搬時に給湯機を通過させるのに必要となる幅を小さく抑えることができる。
【図面の簡単な説明】
【００１２】
【図１（Ａ）】本発明の一実施例に係る給湯機の左側面図を示す。
【図１（Ｂ）】本発明の一実施例に係る給湯機の正面図を示す。
【図１（Ｃ）】本発明の一実施例に係る給湯機の右側面図を示す。
【図１（Ｄ）】本発明の一実施例に係る給湯機の背面図を示す。
【図２】本発明の一実施例に係る給湯機を運搬する状態の平面図を示す。
【図３】本発明の一実施例に係る給湯機の分解斜視図を示す。
【図４】本発明の一実施例に係る給湯機に用いられる蹴込み部材の展開図を示す。
【発明を実施するための形態】
【００１３】
以下、本発明に係る給湯機の実施形態を、図面に基づいて説明する。
【実施例１】
【００１４】
図１に示すように、本実施例に係る給湯機は、直方体形状の筐体を有する。そして、鉛直方向に沿う４つの鉛直面１，２ａ，２ｂ，３のうちの一つの鉛直面３には把持部４ａが設けられ、前記鉛直面３と辺を共有する二つの鉛直面２ａ，２ｂには、前記鉛直面３よりもこの鉛直面３と対向する鉛直面１に近い位置にそれぞれ把持部４ｂ，４ｃが設けられる。
【００１５】
従って、給湯機の運搬時に前後左右方向にバランスを取り易く、且つ、運搬時に給湯機を通過させるのに必要となる幅を小さく抑えることができる。従って、例えば、図２に示すように、敷地の角部のようなスペースが小さな場所でも運搬を容易に行うことができる。
【００１６】
ところで、運搬時における給湯機と運搬者との位置関係としては、図２に示すように、運搬者の一人が鉛直面３の側に位置して鉛直面３の把持部４ａを把持し、他の運搬者が鉛直面３と対向する鉛直面１の側に位置して鉛直面２ａ，２ｂの把持部４ｂ，４ｃを把持する場合が考えられる。この場合には、前後左右方向にバランスを取り易くなり、且つ、鉛直面３とこの鉛直面３と対向する鉛直面１との対向方向が進行方向となるため、運搬時に給湯機を通過させるのに要する幅が小さくて済む。なお、図２では、鉛直面３側が進行方向前方側となっているが、逆に鉛直面１側を進行方向前方側としてもよい。
【００１７】
また、この位置関係以外にも、運搬者の一人が鉛直面２ａの側に位置して鉛直面３の把持部４ａと鉛直面２ａの把持部４ｃを把持し、他の運搬者が鉛直面２ｂの側に位置して鉛直面３の把持部４ａと鉛直面２ｂの把持部４ｂを把持する場合が考えられる。この場合であっても、前後左右方向にバランスを取り易くなり、且つ、対向する鉛直面２ａ，２ｂの対向方向が進行方向となるため、運搬時に給湯機を通過させるのに要する幅が小さくて済む。
【００１８】
具体的には、前記鉛直面１は、設置状態において正面となる鉛直面（図１（Ｂ）参照）であり、前記鉛直面３は、設置状態において背面となる鉛直面（図１（Ｄ）参照）である。また、前記正面となる鉛直面１及び背面となる鉛直面３と交差する方向を向く二つの鉛直面２ａ，２ｂは、側面となる（図１（Ａ），（Ｃ）参照）。即ち、前記把持部４ａ，４ｂ，４ｃは、前記背面となる鉛直面３と、前記側面となる二つの鉛直面２ａ，２ｂとに形成される。
【００１９】
かかる構造によれば、正面となる鉛直面１側に把持部を設けないため、美観性を向上させることができる。また、正面となる鉛直面１側に把持部を設けないことで、正面となる鉛直面１側に給湯機の重みを支える構造を設けることが必須ではなく（ただし、付加的に設けても良い）、正面となる鉛直面１をメンテナンスのための面として有効に活用することができる。即ち、正面となる鉛直面１側における配管や、弁等の機能部品の配置の設計自由度を向上させることができる。
【００２０】
なお、一般的に、正面となる鉛直面１は、前カバと呼ばれ、側面となる二つの鉛直面２ａ，２ｂのうち、鉛直面１に対して右側は、右カバと呼ばれ、鉛直面１に対して左側は、左カバと呼ばれ、背面となる鉛直面３は、後カバと呼ばれる。
【００２１】
ここで、給湯機は、幅が５５０mm、奥行きが６６０mm、高さが（脚を含めて）２１８５mmである。従って、給湯機の運搬時に、筐体幅の短い側である背面（即ち、鉛直面３）の側に位置し、他の運搬者が正面（即ち、鉛直面１）の側に位置して給湯機を持ち上げれば、運搬時の給湯機の通過幅をより小さく抑えることができる。
【００２２】
これについて詳しく説明する。一般的には、給湯機は、運搬者の一人が天面（天カバ）６を持ち、もう一人が製品脚７を持ち、給湯機を倒した状態で運搬される。ところが、幅や奥行きに対して高さの方が大きいため、例えば、図２に示す敷地の角部のようにスペースが小さな場所では、方向転換が困難であるという問題がある。特に、本実施例の給湯機のように、通常の給湯機（高さ１７００mm程度）と比較して高さがあるものでは、方向転換が非常に困難となる。この点、本実施例の給湯機によれば、給湯機を倒した状態にして運搬せずに、設置状態と同じく立てた状態で運搬することができる。
【００２３】
また、各把持部４ａ，４ｂ，４ｃのうち、少なくとも鉛直面２ａ，２ｂの各把持部４ｂ，４ｃは、対向する位置に設けられる。具体的には、各把持部４ｂ，４ｃは、略同じ高さに設けられる。また、各把持部４ｂ，４ｃは、奥行き方向の略同じ位置に設けられる。好ましくは、鉛直面３の把持部４ａも、鉛直面２ａ，２ｂの把持部４ｂ，４ｃと略同じ高さに設けられる。そして、これら各把持部４ａ，４ｂ，４ｃは、給湯機を持ち上げる際、運搬者が力を発揮し易い平均的な高さ（例えば、６２０mm）に設けられる。
【００２４】
図３及び図４を用いて、各把持部４ａ，４ｂ，４ｃについてより詳しく説明する。
【００２５】
まず、前記側面となる鉛直面２ａ，２ｂの把持部４ｂ，４ｃは、筐体内部に向かって形成される凹部として設けられる。具体的には、前記側面となる鉛直面２ａ，２ｂの把持部４ｂ，４ｃは、凹形状を有する把持部材１０によって構成される。また、前記側面となる鉛直面２ａ，２ｂには、前記把持部材１０を収容する孔２ｃ，２ｄが形成される。
【００２６】
ところで、給湯機には、配管を接続する空間を確保すべく、正面となる鉛直面１側から背面となる鉛直面３側に向かって（即ち、奥行き方向後方に向かって）後退した後退部Ｓが設けられている。そして、前記側面となる鉛直面２ａ，２ｂの把持部４ｂ，４ｃは、この後退部Ｓよりも上部に設けられている。これにより、側面となる鉛直面２ａ，２ｂの変形防止を図ることができる。また、前記側面となる鉛直面２ａ，２ｂの把持部４ｂ，４ｃは、奥行き方向において、前記後退部Ｓの角部に跨る位置に設けられている。
【００２７】
前記後退部Ｓは、一般に蹴込みと呼ばれ、蹴込み部材５によって画成される。蹴込み部材５は、前記正面となる鉛直面１と、側面となる鉛直面２ａ，２ｂと、背面となる鉛直面３と、底面９とに接続される。
【００２８】
蹴込み部材５は、図４に示すように、側面視Ｌ字状を有する本体５ａを有し、該本体は、鉛直方向に沿う鉛直部５ｂと、水平方向に沿う水平部５ｃとを備えて構成される。水平部５ｃには、配管を通す孔５ｄが形成されている。また、蹴込み部材５は、側面となる鉛直面２ａ，２ｂに沿い且つ前記本体５ａから鉛直方向上方に延びる上方延出部５ｅと、側面となる鉛直面２ａ，２ｂに沿い且つ前記本体５ａから奥行き方向後方に延びる後方延出部５ｆとを備える。具体的には、前記上方延出部５ｅは、前記本体の水平部５ｃから突出して設けられる。
【００２９】
前記上方延出部５ｅには、前記把持部材１０を収容する孔５ｇが形成されている。そして、筐体を組み立てた際には、前記把持部材１０が前記側面となる鉛直面２ａ，２ｂに設けられる孔２ｃ，２ｄと、蹴込み部材５の上方延出部５ｅの孔５ｇ，５ｇとに挿通される。
【００３０】
上記構成によれば、給湯機を持ち上げた際に側面となる鉛直面２ａ，２ｂの把持部４ｂ，４ｃから加えられる荷重は、蹴込み部材５を介して底面９に伝達される。従って、給湯機を持ち上げた際に側面となる鉛直面２ａ，２ｂに掛かる荷重が低減されるか、若しくは、無くなるため、側面となる鉛直面２ａ，２ｂの変形を良好に防止することができる。
【００３１】
次に、前記把持部４ａは、背面となる鉛直面３に二つ設けられる。各把持部４ａは、背面となる鉛直面３の幅方向中心を挟んで両側に設けられる。具体的には、各把持部４ａは、端縁部からの距離が等しい位置に配置される。
【００３２】
また、前記把持部４ａは、筐体内部に向かって形成される凹部として設けられる。具体的には、前記背面となる鉛直面３の把持部４ａは、凹形状を有する把持部材１０によって構成される。また、前記背面となる鉛直面３には、前記把持部材１０を収容する孔３ａが形成される。
【００３３】
また、給湯機には、背面となる鉛直面３の孔３ａに対応させて、補強部材８が設けられている。該補強部材８は、背面となる鉛直面３に固定されている。そして、補強部材８にも、背面となる鉛直面３の孔３ａに対応させて孔８ａが形成されている。
【００３４】
上記構成によれば、給湯機を持ち上げた際に背面となる鉛直面３の把持部４ａから加えられる荷重は、補強部材８を介して背面となる鉛直面３に分散して伝達される。従って、給湯機を持ち上げた際に背面となる鉛直面３に掛かる荷重が低減されるため、背面となる鉛直面３の変形を良好に防止することができる。
【００３５】
なお、補強部材８を底面９と接続する構造としても良い。このようにすれば、給湯機を持ち上げた際に背面となる鉛直面３の把持部４ａから加えられる荷重が底面９に伝達される。従って、給湯機を持ち上げた際に側面となる二つの鉛直面２ａ，２ｂに掛かる荷重が低減されるか、若しくは、無くなるため、背面となる鉛直面３の変形を良好に防止することができる。
【００３６】
以上、本実施例の給湯機について説明したが、本発明は上記実施例に記載した構成に限定されるものではなく、その趣旨を逸脱しない範囲において適宜その構成を変更することができるものである。
【００３７】
例えば、各把持部４ａ，４ｂ，４ｃの形状は、上記実施例の形状に限定されるものではなく、筐体の外方に突出する形状のものであってもよい。この場合には、敷地の角部をまわる際、把持部が建物の壁等に干渉しないように設けることが好ましい。
【００３８】
また、各把持部４ａ，４ｂ，４ｃの形状は、溝によって構成されるものであってもよい。そして、把持部４ａは、一つのみ設けられるものであってもよい。
【符号の説明】
【００３９】
１  鉛直面（正面となる鉛直面）
２ａ，２ｂ  鉛直面（側面となる鉛直面）
３  鉛直面（背面となる鉛直面）
４ａ，４ｂ，４ｃ  把持部
５  蹴込み部材
６  天面
７  製品脚
８  補強部材
９  底面
１０  把持部材
Ｓ  後退部
【図１（Ａ）】
2012021694.tif 000003
【図１（Ｂ）】
2012021694.tif 000004
【図１（Ｃ）】
2012021694.tif 000005
【図１（Ｄ）】
2012021694.tif 000006
【図２】
2012021694.tif 000007
【図３】
2012021694.tif 000008
【図４】
2012021694.tif 000009